(57)【要約】【課題】直接照明と間接照明とを実現することができる照明装置を提供する。【解決手段】ユニット本体１１の上側の開口部には、放熱板６１をユニット本体１１に密着させて固定してある。放熱板６１の下面には、ＬＥＤモジュール７１を、発光ダイオードが下側を向くように取り付けてある。凸部１１１側の開口部には、透光板１４を取り付けてある。ユニット本体１１の上面には、開口部を間にして、長手方向に沿って適長離隔させて取付台５１、…を固定してある。取付台５１には、開口部を間にして反射板４１、４２を対設してある。また、取付台５１には、反射板４１、４２の上面にそれぞれＬＥＤモジュール３１、３２を取り付けてある。本体上部カバー１２には、長尺状の透光板２１、２２を取り付けてある。【選択図】図１
2011049123.tif 000002
【特許請求の範囲】
【請求項１】
光源部を備えた照明装置において、
前記光源部よりの光を間接照明として使用可能とする間接照明部と、
前記光源部よりの光を直接照明として使用可能とする直接照明部と
を備えることを特徴とする照明装置。
【請求項２】
前記光源部を内蔵した箱体の照明装置本体を備え、
前記間接照明部は、
前記照明装置本体の一面に設けられた光を発光する発光面であり、
前記直接照明部は、
他面に設けられた他の発光面であることを特徴とする照明装置。
【請求項３】
前記間接照明部は、
天井面等に向かって発光する第１の発光面であり、
前記直接照明部は、
天井面等と異なる方向に向かって発光する第２の発光面であることを特徴とする請求項１又は請求項２に記載の照明装置。
【請求項４】
前記間接照明部から発光される光量が、前記直接照明部から発光される光量よりも多いことを特徴とする請求項１から請求項３までのいずれか１つに記載の照明装置。
【請求項５】
前記間接照明部の面積が、前記直接照明部の面積よりも大きいことを特徴とする請求項１から請求項４までのいずれか１つに記載の照明装置。
【請求項６】
前記照明装置本体は、
長尺状をなし、
前記間接照明部は、
前記照明装置本体の長尺状の上側中央部を間にして対設された２つの発光面を有することを特徴とする請求項１から請求項５までのいずれか１つに記載の照明装置。
【請求項７】
前記発光面それぞれは、
前記照明装置本体の高さ寸法が前記上側中央部から長尺側縁部に向かって小さくなるように、傾斜してあることを特徴とする請求項６に記載の照明装置。
【請求項８】
前記直接照明部は、
前記照明装置本体の長尺状の下側中央部に設けてあることを特徴とする請求項６又は請求項７に記載の照明装置。
【請求項９】
前記光源部は、
前記間接照明部から光を発光させる第１の光源部を有し、
該第１の光源部を調光する第１の調光部を備えることを特徴とする請求項１から請求項８までのいずれか１つに記載の照明装置。
【請求項１０】
前記光源部は、
前記直接照明部から光を発光させる第２の光源部を有し、
前記第１の光源部とは別個に前記第２の光源部を調光する第２の調光部を備えることを特徴とする請求項９に記載の照明装置。
【請求項１１】
前記光源部は、
前記間接照明部から光を発光させる第１の光源部と、
前記直接照明部から光を発光させる第２の光源部と
を有し、
前記第１の光源部及び第２の光源部それぞれを調色する調色部を備えることを特徴とする請求項１から請求項１０までのいずれか１つに記載の照明装置。
【請求項１２】
前記光源部は、
発光ダイオードを備えることを特徴とする請求項１から請求項１１までのいずれか１つに記載の照明装置。
【発明の詳細な説明】
【技術分野】
【０００１】
本発明は、間接照明と直接照明とを実現することができる照明装置に関する。
【背景技術】
【０００２】
近年、省電力化及び長寿命化に優れているとして蛍光灯や白熱灯に替わって発光ダイオードなどを光源とする照明装置の開発が行われている。このような照明装置は、複数の発光ダイオード（ＬＥＤ）を実装した基板（ＬＥＤモジュール）、ＬＥＤを駆動する駆動回路（電源回路）などを灯具内に取り付ける構造を有している。
【０００３】
例えば、矩形状の基板と、基板の長手方向に沿ってライン状に実装された色の異なる複数個のＬＥＤチップと、ＬＥＤチップ全体を一体的に覆うように形成された略半円柱状の透明樹脂部とを備え、高密度で集積させても放熱性が優れ、光束が大きくとれるＬＥＤ光源デバイスを備え、ＬＥＤ光源デバイスからの光を反射板で反射させる照明装置が開示されている（例えば、特許文献１参照）。
【先行技術文献】
【特許文献】
【０００４】
【特許文献１】特開２００２−２９９６９７号公報
【発明の概要】
【発明が解決しようとする課題】
【０００５】
しかしながら、特許文献１に開示されたような従来の照明装置の場合、反射板で反射した光を部屋の天井や壁に照射するように照明装置を配置して間接照明を行うことも可能であるが、照明装置をそのように配置した場合、部屋の机面や床面に向かって照射される光がないため、机面や床面の照度を確保することができない。また、反射板で反射した光を机面や床面に向けて照明装置を配置した場合には、部屋内の間接照明を実現することができない。
【０００６】
本発明は斯かる事情に鑑みてなされたものであり、直接照明と間接照明とを実現することができる照明装置を提供することを目的とする。
【課題を解決するための手段】
【０００７】
本発明に係る照明装置は、光源部を備えた照明装置において、前記光源部よりの光を間接照明として使用可能とする間接照明部と、前記光源部よりの光を直接照明として使用可能とする直接照明部とを備えることを特徴とする。
【０００８】
本発明にあっては、照明装置は、光源部よりの光を間接照明として使用可能とする間接照明部と、光源部よりの光を直接照明として使用可能とする直接照明部とを備える。これにより、間接照明と直接照明とを実現することができる。
【０００９】
本発明に係る照明装置は、前記光源部を内蔵した箱体の照明装置本体を備え、前記間接照明部は、前記照明装置本体の一面に設けられた光を発光する発光面であり、前記直接照明部は、他面に設けられた他の発光面であることを特徴とする。
【００１０】
本発明にあっては、間接照明部は、照明装置本体の一面に設けられた光を発光する発光面であり、直接照明部は、照明装置本体の他面に設けられた他の発光面である。例えば、発光面を天井側に配置した場合、該発光面から発せられる光で天井面を照射して間接照明を得ることができる。また、他の発光面からの光は天井面と反対側に照射されるので机面や床面を照射することができ直接照明を得ることができる。これにより、間接照明と直接照明とを実現することができる。なお、他面は、天井面と反対側の面に限定されない。
【００１１】
本発明に係る照明装置は、前記間接照明部は、天井面等に向かって発光する第１の発光面であり、前記直接照明部は、天井面等と異なる方向に向かって発光する第２の発光面であることを特徴とする。
【００１２】
本発明にあっては、間接照明部は、天井面等に向かって発光する第１の発光面であり、直接照明部は、天井面等と異なる方向に向かって発光する第２の発光面である。これにより、間接照明部からの光は天井面に向かって照射されて間接照明に寄与し、直接照明部からの光は机面や床面に向かって照射されて直接照明に寄与するので、間接照明と直接照明とを実現することができる。
【００１３】
本発明に係る照明装置は、前記間接照明部から発光される光量が、前記直接照明部から発光される光量よりも多いことを特徴とする。
【００１４】
本発明にあっては、間接照明部から発光される光量が、直接照明部から発光される光量よりも多い。これにより、例えば、部屋内の照明環境を、間接照明を主とし、直接照明を従とすることができ、部屋全体を間接照明にしつつ直接照明も実現した照明環境を提供することができる。
【００１５】
本発明に係る照明装置は、前記間接照明部の面積が、前記直接照明部の面積よりも大きいことを特徴とする。
【００１６】
本発明にあっては、間接照明部の面積が、直接照明部の面積よりも大きい。これにより、例えば、部屋内の照明環境を、間接照明を主とし、直接照明を従とすることができ、部屋全体を間接照明にしつつ直接照明も実現した照明環境を提供することができる。
【００１７】
本発明に係る照明装置は、前記照明装置本体は、長尺状をなし、前記間接照明部は、前記照明装置本体の長尺状の上側中央部を間にして対設された２つの発光面を有することを特徴とする。
【００１８】
本発明にあっては、照明装置本体は、長尺状をなし、間接照明部は、照明装置本体の長尺状の上側中央部を間にして対設された２つの発光面を有する。照明装置本体が長尺状の場合でも、中央部を間にして２つの発光面を長尺状に設けているので、照明装置本体の長手方向に沿って天井面を照射することができ、天井面の広い範囲に光を照射することができる。
【００１９】
本発明に係る照明装置は、前記発光面それぞれは、前記照明装置本体の高さ寸法が前記上側中央部から長尺側縁部に向かって小さくなるように、傾斜してあることを特徴とする。
【００２０】
本発明にあっては、発光面それぞれは、照明装置本体の高さ寸法が上側中央部から長尺側縁部に向かって小さくなるように、傾斜してある。これにより、発光面それぞれから発せられた光は、上側中央部と天井面とを結ぶ垂直方向に対して斜めに照射されるので、天井面の広い範囲に光を照射することができる。
【００２１】
本発明に係る照明装置は、前記直接照明部は、前記照明装置本体の長尺状の下側中央部に設けてあることを特徴とする。
【００２２】
本発明にあっては、直接照明部は、照明装置本体の長尺状の下側中央部に設けてある。これにより、間接照明のみならず直接照明も提供することができる。
【００２３】
本発明に係る照明装置は、前記光源部は、前記間接照明部から光を発光させる第１の光源部を有し、該第１の光源部を調光する第１の調光部を備えることを特徴とする。
【００２４】
本発明にあっては、光源部は、間接照明部から光を発光させる第１の光源部を有し、第１の光源部を調光する第１の調光部を備える。これにより、照明装置を天井面から吊下げる場合に、天井面までの高さが変化する場合でも天井面の照度や明るさを調節することができ、照明装置の設置場所に応じて好みの間接照明を提供することができる。
【００２５】
本発明に係る照明装置は、前記光源部は、前記直接照明部から光を発光させる第２の光源部を有し、前記第１の光源部とは別個に前記第２の光源部を調光する第２の調光部を備えることを特徴とする。
【００２６】
本発明にあっては、光源部は、直接照明部から光を発光させる第２の光源部を有し、第１の光源部とは別個に第２の光源部を調光する第２の調光部を備える。これにより、好みの間接照明を実現しつつ机面や床面の照度や明るさを調節することができ、利用者の好みに応じた間接照明と直接照明とを併せ持つ照明環境を提供することができる。
【００２７】
本発明に係る照明装置は、前記光源部は、前記間接照明部から光を発光させる第１の光源部と、前記直接照明部から光を発光させる第２の光源部とを有し、前記第１の光源部及び第２の光源部それぞれを調色する調色部を備えることを特徴とする。
【００２８】
本発明にあっては、光源部は、間接照明部から光を発光させる第１の光源部と、直接照明部から光を発光させる第２の光源部とを有し、第１の光源部及び第２の光源部それぞれを調色する調色部を備える。例えば、光源色を白色、昼光色、電球色などに調色することにより、間接照明の色調と直接照明の色調を好みに合わせて変更することができ、利用者の好みに応じた照明環境を提供することができる。
【００２９】
本発明に係る照明装置は、前記光源部は、発光ダイオードを備えることを特徴とする。
【００３０】
本発明にあっては、光源部は、発光ダイオードを備える。発光ダイオード（ＬＥＤ）を使用することで照明装置を薄型にすることができ、照明装置自身が天井面等を利用した間接照明の邪魔になることを防止することができる。
【発明の効果】
【００３１】
本発明によれば、机面や床面の照度を確保しつつ、天井面等を照射して部屋内の間接照明を実現することができ、直接照明と間接照明とを実現することができる。
【図面の簡単な説明】
【００３２】
【図１】本発明の実施の形態を示す照明装置の下側から見た分解斜視図である。
【図２】本発明の実施の形態を示す照明装置の上側から見た分解斜視図である。
【図３】本発明の実施の形態を示す照明装置の下側から見た平面図である。
【図４】本発明の実施の形態を示す照明装置の上側から見た平面図である。
【図５】本発明の実施の形態を示す照明装置の側面図である。
【図６】本発明の実施の形態を示す照明装置の縦断面図である。
【図７】本発明の実施の形態を示す照明装置の調光方式の一例を示すブロック図である。
【図８】本発明の実施の形態を示す照明装置の調色方式の一例を示すブロック図である。
【発明を実施するための形態】
【００３３】
以下、本発明をその実施の形態を示す図面に基づいて説明する。図１は本発明の実施の形態を示す照明装置１００の下側から見た分解斜視図であり、図２は本発明の実施の形態を示す照明装置１００の上側から見た分解斜視図であり、図３は本発明の実施の形態を示す照明装置１００の下側から見た平面図であり、図４は本発明の実施の形態を示す照明装置１００の上側から見た平面図であり、図５は本発明の実施の形態を示す照明装置１００の側面図であり、図６は本発明の実施の形態を示す照明装置１００の縦断面図である。以下、照明装置１００の一例として、天井に吊下げることが可能な照明装置について説明するが、照明装置１００は、天井に吊下げるタイプの照明装置に限定されるものではなく、壁等に固定されるものなど、他の形態の照明装置であってもよい。また、上側とは照明装置１００を天井に吊下げた状態で天井側を意味し、下側とは天井側と反対側、すなわち、床面側や机面側を意味する。
【００３４】
照明装置１００は、光源部よりの光を間接照明として使用可能とする間接照明部と、光源部よりの光を直接照明として使用可能とする直接照明部とを備える。図１及び図２に示すように、照明装置１００は、照明装置本体１、間接照明部である第１の発光面（発光面）としての透明の透光板２１、２２、第１の光源部としてのＬＥＤモジュール３１、３２、反射板４１、４２、ＬＥＤモジュール３１、３２を取り付けるための取付台５１、…、第２の光源部としてのＬＥＤモジュール７１、ＬＥＤモジュール７１用の放熱板６１、直接照明部である第２の発光面（他の発光面）としての半透明の透光板１４、電源ユニット９１、９２、側板８１、８１などを備える。すなわち、間接照明部は、照明装置本体１の一面に設けられた光を発光する第１の発光面であり、直接照明部は、照明装置本体１の他面に設けられた第２の発光面である。第１の発光面は、天井面や壁面に向かって発光する発光面であり、第２の発光面は、天井面等と異なる方向に向かって発光する発光面である。
【００３５】
照明装置本体１は、長尺状の箱体をなし、それぞれ金属製のユニット本体１１、本体上部カバー１２、本体下部カバー１３などで構成される。ユニット本体１１、本体上部カバー１２、本体下部カバー１３は、それぞれ所要の色で塗装（例えば、焼付塗装）されている。ユニット本体１１には、本体上部カバー１２及び本体下部カバー１３がねじ等で固定され、両端部には側板８１、８１が取り付けられる。
【００３６】
ユニット本体１１は、長尺状の板状であって、上側は略平面状をなし、下側には中央部に長手方向に沿って凸部１１１を形成してあり、縦断面が略Ｔ字状をなす構造を有する。凸部１１１の内側には、ユニット本体１１の上側と連通する長尺状の開口部１１２を形成してある。
【００３７】
ユニット本体１１の上側の開口部１１２には、開口部１１２の寸法よりも若干大きな寸法を有する放熱板６１をユニット本体１１に密着させて固定してある。放熱板６１の下面には、開口部１１２の寸法よりも若干小さい寸法を有するＬＥＤモジュール７１を、発光ダイオードが下側を向くように取り付けてある。凸部１１１側の開口部１１２には、透光板１４を取り付けてある。これにより、ＬＥＤモジュール７１から発せられた光は、透光板１４を通過して外部へ照射される。
【００３８】
本体下部カバー１３は、長尺状の板状であって、ユニット本体１１の凸部１１１を挿入することができるように、凸部１１１の寸法に合わせた開口部１３１を形成してある。開口部１３１は、本体下部カバー１３の上側と下側とを連通する。また、本体下部カバー１３の下面は、利用者が下側から見たときに美観を感じることができるように、中央部から長尺側縁部に向かって緩やかに凸状に湾曲した曲面で構成してある。また、本体下部カバー１３の長手方向の両端部は、円弧状に形成してある。これにより、利用者に対してデザイン的に斬新な印象を与えることができる。
【００３９】
ユニット本体１１の上面には、開口部１１２を間にして、長手方向に沿って適長離隔させて取付台５１、…を固定してある。取付台５１には、断面が略Ｌ字状の反射板４１、４２を、開口部１１２を間にして対設してある。また、取付台５１には、反射板４１の上面に長尺状のＬＥＤモジュール３１を取り付けてあり、反射板４２の上面に長尺状のＬＥＤモジュール３２を取り付けてある。
【００４０】
本体上部カバー１２は、長尺状の板状であって、長尺状の天板１２１を間にして長手方向に沿って２つの長尺状の開口部１２２、１２３を形成してある。開口部１２２には、長尺状の透光板２１を固定することができ、開口部１２３には、長尺状の透光板２２を固定することができる。透光板２１、２２は、長尺状の天板１２１を間にして対設される。これにより、照明装置１００が長尺状の場合でも、天板１２１を間にして２つの発光面を長尺状に設けているので、照明装置１００の長手方向に沿って天井面を照射することができ、天井面の広い範囲に光を照射することができる。
【００４１】
ＬＥＤモジュール３１から発せられた光は、直接あるいは反射板４１で反射されて、透光板２１を通過して外部へ照射される。また、同様に、ＬＥＤモジュール３２から発せられた光は、直接あるいは反射板４２で反射されて、透光板２２を通過して外部へ照射される。
【００４２】
本体上部カバー１２の内側、すなわち天板１２１の裏側には、ＬＥＤモジュール３１、３２、７１に所要の電圧、電流を供給する電源ユニット９１、９２を取り付けてある。電源ユニット９１、９２には、不図示の電源端子台を介して商用電源が接続される。また、電源ユニット９１、９２とＬＥＤモジュール３１、３２、７１との間は不図示の配線が施されている。
【００４３】
上述のとおり、照明装置１００は、照明装置本体１の一面（上側）に第１の発光面としての透光板２１、２２を備えるとともに、他面（例えば、反対側の面である下側）に第２の発光面としての透光板１４を備えるので、透光板２１、２２を天井側に配置した場合、透光板２１、２２から発せられる光で天井面を照射して間接照明を得ることができる。また、透光板１４からの光は天井面と反対側に照射されるので机面や床面を照射することができ直接照明を得ることができる。これにより、間接照明と直接照明とを実現することができる。なお、上述の他面は、天井面と反対側の面に限定されない。
【００４４】
また、図５及び図６に示すように、照明装置１００は、ワイヤ１７により天井に吊下げることが可能であるから、透光板２１、２２から発せられる光は天井面に向かって照射されて間接照明に寄与し、透光板１４からの光は机面や床面に向かって照射されて直接照明に寄与するので、間接照明と直接照明とを実現することができる。
【００４５】
間接照明部を構成するＬＥＤモジュール３１、３２から発せられる光量を、直接照明部を構成するＬＥＤモジュール７１から発せられる光量よりも多くすることができる。これにより、例えば、部屋内の照明環境を、間接照明を主とし、直接照明を従とすることができ、部屋全体を間接照明にしつつ直接照明も実現した照明環境を提供することができる。
【００４６】
また、図３及び図４に示すように、間接照明部を構成する透光板２１、２２の面積を、直接照明部を構成する透光板１４の面積よりも大きくすることができる。これにより、例えば、部屋内の照明環境を、間接照明を主とし、直接照明を従とすることができ、部屋全体を間接照明にしつつ直接照明も実現した照明環境を提供することができる。
【００４７】
図３の例では、透光板１４は、照明装置１００の中央部を長手方向に沿って１つ設ける構成であるが、下部発光面としての透光板１４は、図３の例に限定されるものではなく、照明装置１００の使用環境や利用者の要望に応じて、長尺状の透光板を短手方向に複数離隔させて並べて配置した構成とすることもできる。また、透光板１４を、複数の透光板に分け、長手方向に沿って分離させて並べて配置する構成でもよい。これにより、間接照明のみならず直接照明も提供することができる。
【００４８】
図３の例では、本体下部カバー１３の両端側は、いずれも凸状の円弧状に形成してあるが、これに限定されるものではなく、例えば、一方側を凹状の円弧状に形成する。これにより、１つ目の照明装置１００の凹状の円弧状の端部に、２つ目の照明装置１００の凸状の円弧状の端部を合わせることで、繋ぎ目が目立たないようにして２つの照明装置１００を長手方向に接続した形態で配置することができる。また、凹状の円弧状の端部と凸状の円弧状の端部とが嵌合するので、複数の照明装置１００を繋いで天井から吊下げた場合に、１つの照明装置１００が何らかの原因で揺れたときでも、他の照明装置１００も連動して揺れるので、各照明装置１００の発光面が連動して同じ方向に揺れる。このため、照明の方向が各照明装置１００でばらつくという現象を防止することができる。
【００４９】
図６に示すように、透光板２１、２２それぞれは、照明装置本体１の高さ寸法が上側中央部である天板１２２から長尺側縁部１３２に向かって小さくなるように、傾斜してある。これにより、透光板２１、２２それぞれから発せられた光は、天板１２２と天井面とを結ぶ垂直方向に対して斜めに照射されるので、天井面の広い範囲に光を照射することができる。
【００５０】
また、照明装置１００の光源として発光ダイオード（ＬＥＤ）を使用することで照明装置１００を薄型にすることができ、照明装置１００を天井に吊るした場合に、照明装置１００自身が間接照明の邪魔になることを防止することができる。
【００５１】
図３に示すように、ＬＥＤモジュール１４は、例えば、４枚の矩形状の基板を長尺状に配置してある。各基板には、ＬＥＤチップが２列で所要の間隔で実装されている。ＬＥＤモジュール１４に使用されるＬＥＤチップは、例えば、白色ＬＥＤ、昼光色ＬＥＤ、電球色ＬＥＤのいずれかでもよく、あるいは、これらの組み合わせでもよい。
【００５２】
図４に示すように、ＬＥＤモジュール２１は、例えば、４枚の矩形状の基板を長尺状に配置してある。各基板には、ＬＥＤチップが縦横所要の間隔で実装されている。ＬＥＤモジュール２１に使用されるＬＥＤチップは、例えば、白色ＬＥＤ、昼光色ＬＥＤ、電球色ＬＥＤのいずれかでもよく、あるいは、これらの組み合わせでもよい。ＬＥＤモジュール２２もＬＥＤモジュール２１と同様の構成をなす。
【００５３】
各ＬＥＤモジュールを上述のように構成することにより、照明装置１００を調光可能にすること、調色可能にすること、あるいは調光と調色の両方を可能にすることができる。以下、調光方法及び調色方法について説明する。
【００５４】
図７は本発明の実施の形態を示す照明装置１００の調光方式の一例を示すブロック図である。照明装置１００は、ＬＥＤモジュール３１、３２、７１の他に、調光インタフェース部９３、制御部９４、電源回路９５、第１の調光部としてのＰＷＭ調光回路９６、第２の調光部としてのＰＷＭ調光回路９７などを備える。なお、これらの回路は、電源ユニット９１、９２に内蔵することができる。
【００５５】
調光インタフェース部９３は、例えば、赤外線リモコンからの赤外線信号を受光する受光部、パーソナルコンピュータやサーバなどの情報処理装置からの信号を受信する受信部などである。調光インタフェース部９３は、外部から調光のための信号を取得し、取得した信号を制御部９４へ出力する。
【００５６】
電源回路９５は、商用電源により供給される交流電圧を直流電圧に変換し、変換後の直流電圧をＰＷＭ調光回路９６、９７等へ供給する。
【００５７】
制御部９４は、例えば、マイクロコンピュータにより構成することができ、調光インタフェース部９３から出力された信号に基づいて、ＬＥＤモジュール３１、３２とＬＥＤモジュール７１とを個別に調光すべく制御信号をＰＷＭ調光回路９６、９７へそれぞれ出力する。
【００５８】
ＰＷＭ調光回路９６は、制御部９４から出力された制御信号を取得し、取得した制御信号に応じたＰＷＭ制御をＬＥＤモジュール３１、３２に対して行う。また、ＰＷＭ調光回路９７は、制御部９４から出力された制御信号を取得し、取得した制御信号に応じたＰＷＭ制御をＬＥＤモジュール７１に対して行う。なお、ＬＥＤモジュール３１、３２とＬＥＤモジュール７１とを個別に調光できるのであれば、ＰＷＭ調光回路９６とＰＷＭ調光回路９７を１つの回路に纏めることもできる。
【００５９】
ＬＥＤモジュール３１、３２から発せられる光を調光することができるので、照明装置１００を天井面から吊下げる場合に、天井面までの高さが変化する場合でも天井面の照度や明るさを調節することができ、照明装置１００の設置場所に応じて好みの間接照明を提供することができる。
【００６０】
また、ＬＥＤモジュール７１から発せられる光を、ＬＥＤモジュール３１、３２とは別個に調光することができるので、好みの間接照明を実現しつつ机面や床面の照度や明るさを調節することができ、利用者の好みに応じた間接照明と直接照明とを併せ持つ照明環境を提供することができる。
【００６１】
次に調色について説明する。図８は本発明の実施の形態を示す照明装置１００の調色方式の一例を示すブロック図である。照明装置１００は、ＬＥＤモジュール３１、３２、７１の他に、インタフェース部１０３、制御部１０４、電源回路１０５、調色部としての電流制御回路１０６、１０７などを備える。なお、これらの回路は、電源ユニット９１、９２に内蔵することができる。
【００６２】
ＬＥＤモジュール３１は、白色ＬＥＤ３１１、昼光色ＬＥＤ３１２、電球色ＬＥＤ３１３などを備えている。また、ＬＥＤモジュール３２も同様の構成を有する。ＬＥＤモジュール７１は、白色ＬＥＤ７１１、昼光色ＬＥＤ７１２、電球色ＬＥＤ７１３などを備えている。
【００６３】
インタフェース部１０３は、例えば、赤外線リモコンからの赤外線信号を受光する受光部、パーソナルコンピュータやサーバなどの情報処理装置からの信号を受信する受信部などである。インタフェース部１０３は、外部から調色のための信号を取得し、取得した信号を制御部１０４へ出力する。
【００６４】
電源回路１０５は、商用電源により供給される交流電圧を直流電圧に変換し、変換後の直流電圧を電流制御回路１０６、１０７等へ供給する。
【００６５】
制御部１０４は、例えば、マイクロコンピュータにより構成することができ、インタフェース部１０３から出力された信号に基づいて、ＬＥＤモジュール３１、３２とＬＥＤモジュール７１とを個別に調色すべく制御信号を電流制御回路１０６、１０７へそれぞれ出力する。
【００６６】
電流制御回路１０６は、制御部１０４から出力された制御信号を取得し、取得した制御信号に応じた電流値で各ＬＥＤ（白色ＬＥＤ３１１、昼光色ＬＥＤ３１２、電球色ＬＥＤ３１３）個別に駆動する。各ＬＥＤに流れる電流の割合を変化させることにより、ＬＥＤモジュール全体から発せられる光を、例えば、白色から電球色にかけての任意の色に調色することができる。
【００６７】
電流制御回路１０７は、制御部１０４から出力された制御信号を取得し、取得した制御信号に応じた電流値で各ＬＥＤ（白色ＬＥＤ７１１、昼光色ＬＥＤ７１２、電球色ＬＥＤ７１３）個別に駆動する。各ＬＥＤに流れる電流の割合を変化させることにより、ＬＥＤモジュール全体から発せられる光を、例えば、白色から電球色にかけての任意の色に調色することができる。なお、ＬＥＤモジュール３１、３２とＬＥＤモジュール７１とを個別に調色できるのであれば、電流制御回路１０６と電流制御回路１０７とを１つの回路に纏めることもできる。
【００６８】
これにより、例えば、透光板２１、２２、１４から発せられる光色を白色、昼光色、電球色などに調色することにより、間接照明の色調と直接照明の色調を好みに合わせて変更することができ、利用者の好みに応じた照明環境を提供することができる。
【００６９】
上述の実施の形態では、照明装置１００は、長尺状の形状であったが、照明装置１００の形状は、長尺状に限定されるものではなく、いわゆるスクウェア型や円形状のもであってもよい。
【００７０】
上述の実施の形態では、光源はＬＥＤであったが、これに限定されるものではなく、有機ＥＬなどの他の光源を用いることもできる。
【符号の説明】
【００７１】
１  照明装置本体
１１  ユニット本体
１２  本体上部カバー
１３  本体下部カバー
１４  透光板（第２の発光面、直接照明部）
２１、２２  透光板（第１の発光面、間接照明部）
３１、３２  ＬＥＤモジュール（第１の光源部）
４１、４２  反射板
５１  取付台
６１  放熱板
７１  ＬＥＤモジュール（第２の光源部）
９６  ＰＷＭ調光回路（第１の調光部）
９７  ＰＷＭ調光回路（第２の調光部）
１０６、１０７  電流制御回路（調色部）
１１１  凸部（下側中央部）
１２１  天板（上側中央部）
【図１】
2011049123.tif 000003
【図２】
2011049123.tif 000004
【図３】
2011049123.tif 000005
【図４】
2011049123.tif 000006
【図５】
2011049123.tif 000007
【図６】
2011049123.tif 000008
【図７】
2011049123.tif 000009
【図８】
2011049123.tif 000010